(57)【特許請求の範囲】
【請求項１】
複数条の鉄筋結束線の両側部を計量用の受具で受けて、該結束線の重量を計量し、該結束線の中央部を、受具間及び先端にフランジを有する１対の截頭円錐形ローラ間を往復傾斜ピンで傾斜ストッパまで押圧往動通過させて該結束線の中央部を屈曲し、該屈曲部の両側部を集束し、両側部を結束した後、傾斜ピンを上記中央部から分離し、該ピンを元の位置に復動させることを特徴とする鉄筋結束線集束成形法。
【請求項２】
中央部をＵ字状に屈曲し、該屈曲部寄りの両側部を対向方向に圧搾してループ状屈曲部を形成し、両側部を一つに集束する請求項１記載の鉄筋結束線集束成形法。
【請求項３】
複数条の鉄筋結束線の両側部を計量用の受具で受けて、該結束線の重量を計量し、該結束線の中央部を、受具間及び先端にフランジを有する１対の截頭円錐形ローラ間を往復傾斜ピンで傾斜ストッパまで押圧往動通過させて該結束線の中央部を屈曲し、該屈曲部の両側部を集束し、両側部を結束した後、傾斜ピンを上記中央部から分離し、該ピンを元の位置に復動させることを特徴とする鉄筋結束線集束成形装置。
【請求項４】
中央部をＵ字状に屈曲し、該屈曲部寄りの両側部に対向方向に圧搾する圧搾具を設け、該圧搾具によって中央部にループ状屈曲部が形成され、両側部を一つに集束するようにした請求項３記載の鉄筋結束線集束成形装置。
【請求項５】
上記傾斜ピンに対向するシリンダーの先端に上記傾斜ピンとほぼ同一角度の傾斜ストッパが設けられ、上記結束線の中央部の移行を止める請求項３又は４記載の鉄筋結束線集束成形装置。
【請求項６】
定寸切断鉄筋結束線条の搬出コンベヤの終端部下方に計量天秤の計量用の受具を設け、傾斜ピンの傾斜角が截頭円錐形遊動ローラの円錐面の傾斜角と同一又はほぼ同一である請求項３、４又は５のいずれかに記載の鉄筋結束線集束成形装置。
【請求項７】
上記截頭円錐形ローラの基端にフランジを設けた請求項３、４、５又は６のいずれかに記載の鉄筋結束線集束成形装置。
【発明の詳細な説明】
【０００１】
【発明の属する技術分野】
本発明は複数条の鉄筋結束線を集束し、中央部を屈曲して両側部を一つに集束し、該集束部を結束してなる複数条の鉄筋結束線において、中央屈曲部を舟の舳状に傾斜させる成形法及びその装置に関するものである。
【０００２】
【従来の技術】
従来複数条（１００〜２００条）の鉄筋結束線の中央部を屈曲して両側部を一つに集束し、集束部を結束して鉄筋結束線の商品とした。
【０００３】
しかし上記商品では左手に集束部を把持し中央屈曲部（ループ部）を１条宛親指で前方又は側方に摺動させて、これを右手に把持したハッカーに引掛けて牽引して１条又は２条宛引出しながら鉄筋の交差部又は接続部等に巻付けて交差又は接続鉄筋を結束し結合させるものであった。
【０００４】
しかし中央部を単に屈曲した複数条の結束線の屈曲部は親指を当てる屈曲線条が他の屈曲線条内に引掛って１条宛押出し又は横方向にスライドさせ難く使い勝手が悪い。
【０００５】
そのため集束した線条の中央屈曲部の最上端を最前方に配置し、最下端の屈曲部を最後方に配置して屈曲部を側面から見て図５仮想線で示すように舟の舳状に形成することによって使い勝手の良い鉄筋結束線が得られるものである。
【０００６】
ところが上記舟形鉄筋結束線の円滑多量成形法及びその製造装置を得ることは困難であった。
【０００７】
【発明が解決しようとする課題】
本発明は中央部をほぼ３６０度ループ状に屈曲し両側部を一つに集合して集合部をかしめ線等で結束し、しかも中央屈曲部を舟の舳状に傾斜させた鉄筋結束線を量産する方法及びその装置を得ることを目的とする。
【０００８】
【課題を解決するための手段】
上記の目的を達成するため本発明は
複数条の鉄筋結束線の両側部を計量用の受具で受けて、該結束線の重量を計量し、該結束線の中央部を、受具間及び先端にフランジを有する１対の截頭円錐形ローラ間を往復傾斜ピンで傾斜ストッパまで押圧往動通過させて該結束線の中央部を屈曲し、該屈曲部の両側部を集束し、両側部を結束した後、傾斜ピンを上記中央部から分離し、該ピンを元の位置に復動させることを特徴とする鉄筋結束線集束成形法
中央部をＵ字状に屈曲し、該屈曲部寄りの両側部を対向方向に圧搾してループ状屈曲部を形成し、両側部を一つに集束する上記第１発明記載の鉄筋結束線集束成形法
複数条の鉄筋結束線の両側部を計量用の受具で受けて、該結束線の重量を計量し、該結束線の中央部を、受具間及び先端にフランジを有する１対の截頭円錐形ローラ間を往復傾斜ピンで傾斜ストッパまで押圧往動通過させて該結束線の中央部を屈曲し、該屈曲部の両側部を集束し、両側部を結束した後、傾斜ピンを上記中央部から分離し、該ピンを元の位置に復動させることを特徴とする鉄筋結束線集束成形装置
中央部をＵ字状に屈曲し、該屈曲部寄りの両側部に対向方向に圧搾する圧搾具を設け、該圧搾具によって中央部にループ状屈曲部が形成され、両側部を一つに集束するようにした上記第３発明記載の鉄筋結束線集束成形装置
上記傾斜ピンに対向するシリンダーの先端に上記傾斜ピンとほぼ同一角度の傾斜ストッパが設けられ、上記結束線の中央部の移行を止める上記第３又は第４発明記載の鉄筋結束線集束成形装置
定寸切断鉄筋結束線条の搬出コンベヤの終端部下方に計量天秤の計量用の受具を設け、傾斜ピンの傾斜角が截頭円錐形遊動ローラの円錐面の傾斜角と同一又はほぼ同一である上記第３、第４又は第５発明のいずれかに記載の鉄筋結束線集束成形装置
上記截頭円錐形ローラの基端にフランジを設けた上記第３、第４、第５又は第６発明のいずれかに記載の鉄筋結束線集束成形装置
【０００９】
【発明の実施の形態】
定寸に切断した鉄筋結束線条１ｃは搬出コンベヤ８によってコンベヤ８の移行方向と直角方向に並べられて移送され、該コンベヤ８の終端部からその直下に待期する２個の計量用の受具２、２上に落下し、対向方向往復揃え板１０、１０によって両端が揃えられ、かつほぼ一定重量に計量されて該受具２、２及び計量されたほぼ定量の複数（１００〜２００条）の上記結束線１は下降して台板１１上に設けた受板１２、１２上に乗せられる。
【００１０】
上記受具２、２は台板１１上の軸受板１３、１３に同一ピン１４で枢支された２個の天秤９、９の先端に設けられ、２個の天秤９、９の後端は連杆１５で接続し、該連杆１５に重錘ｗを螺杆１５’で出入調整し、定量設定を行う、設定計量結束線１が受板１２、１２に乗せられ受具２、２が台板１１上に接した状態（図７）をシリンダー１６で重錘ｗ及び連杆１５を持上げて天秤９、９を図７に示す傾斜状態に保つものである。
【００１１】
このように空の水平受具２、２内に上記結束線１が落下して収容され設定重量に達すると該受具２、２は図６実線位置から図５点線位置（台板１１に接する位置）まで下降して停止し、収容された設定重量の複数結束線１は受板１２、１２上に乗せられる。
【００１２】
この状態において受具２、２の中間に、かつ天秤９、９の中間に位置している傾斜ピン５が受板１２、１２上の上記結束線１の中央部１’を押圧して該結束線１と直角方向に往動し、先端及び基端にフランジ３、３’を有する截頭円錐形ローラ４、４の間を通過して上記結束線１の中央部１’をＵ字状に屈曲し傾斜ピン５の傾斜と同一傾斜角を有する傾斜ストッパ７まで往動する（図３仮想線でその状態を示す）。
【００１３】
上記ストッパ７まで往動した状態では上記結束線１の両側部１ａ、１ａの両端部分は未上記ローラ４、４から外れて対向集束板２７、２７に挟持されて両側部１ａ、１ａは集束状態を維持する。
【００１４】
その状態で両側部１ａ、１ａを結束機１７（図８）によってかしめ線で１束に結束６することができる。結束はかしめ線によらず番線によることができる。又中央部１’の上記屈曲部寄りの両側部１ａ、１ａを圧搾具１８、１８で対向方向に圧搾することによって図１仮想線で示すようにループ状屈曲部を形成し、圧搾部１ｂ、１ｂから両側部１ａ、１ａの先端までを１つに集束し、その状態で該集束両側部１ａ、１ａを結束機１７でかしめ線で１束に結束６することができる。
【００１５】
その後上記傾斜ピン５をＵ字形又はループ状屈曲部から傾斜方向に摺動させて分離し、該ピン５を受具２、２の天秤９、９側中間に復動させ、さらに傾斜方向に摺動させて元の位置に戻す。その間受板１２、１２上に次の結束線１が支持され、上述同様の動作が繰返される。往復動は台板１１側に設けたシリンダー１９によって動作し、傾斜方向の摺動はシリンダー１９の先端に設けた移動台２０に設けた傾斜シリンダー２１によって往復動作する。
【００１６】
受具２、２の下降により受板１２、１２上に支持された複数条の定量計量結束線１は傾斜ピン５によってフランジ３、３’を有する截頭円錐形ローラ４、４間を通過する際両ローラ４、４の傾斜面４’（錐面）によって通過面積は先部が広く基部が狭い。そのため通過する結束線１の中央部１’は傾斜ピン５によって広い先部では中央部１’及び両側部１ａ、１ａの通過抵抗が少なく、通過し易い。そして狭い基部では中央部１’及び両側部１ａ、１ａの通過抵抗が大であるから両ローラ４、４の傾斜面４’と同一又はほぼ同一角度の傾斜ピン５の通過により結束線１の中央部１’は両ローラ４、４間を図８に示すように傾斜状態となって通過し易く中央部１’は傾斜ストッパ７まで傾斜状態を保って移行し易い。
【００１７】
【実施例】
機枠に長方形台板１１が設けられ、中央部に台板１１の長手方向に長い空間ｓが設けられる。空間ｓの両側上方には計量用の水平の受具２、２を配置し軸受板１３、１３に支持された共通ピン１４の両端部に天秤９、９を設け、その先端部にそれぞれ上記受具２、２が設けられ、後端を連杆１５で両天秤９、９を一体に接続し、台板１１と連杆１５との間に受具２、２の下降状態（図７点線）保持シリンダー２３を介在させて受具２、２の下降状態を支持し、受板１２、１２に定量結束線１を支持するようになっている（図７）。そして受具２、２の直上に定寸切断鉄筋結束線条１ｃの搬出コンベヤ８の終端部を臨ませ、上記結束線条１ｃはコンベヤ８の移行方向と直角方向に水平に並べられて移送される。
【００１８】
定量結束線１が受板１２、１２に支持された状態はタッチ又は非接触センサーによって感知され、その信号によって機枠に設けたシリンダー１９を動作する。このシリンダー１９の先端には台板１１の裏面に設けた係合案内レール２２、２２に係合する摺動金具２３を有する往復摺動板２０を設け、該摺動板２０に設けた傾斜シリンダー２１に往復摺動傾斜ピン５を設け、該ピン５を上記天秤９、９間に配置し、受具２、２間を台板１１に沿って空間ｓの長手方向に往復摺動するようになっている。
【００１９】
台板１１の上記空間ｓの両側中程には先端にフランジ３を有する１対の截頭円錐形ローラ４、４を遊支し、該ローラ４、４の基端及び先端フランジ３、３’の間隔は上記空間ｓの幅より小で空間ｓ内にその両側から中心部に向って突出し、かつ該ローラ４、４の先端部の間隔は空間ｓの幅より大となっている。そのため受板１２、１２上に載置された計量結束線１の中央部１’を傾斜ピン５の傾斜に伴って上記ローラ４、４の先端部から先にフランジ３、３に沿って該ローラ４、４間を押圧通過させることによって中央部１’では該ローラ４、４の先端部から基端部への円錐面の傾斜とほぼ同一傾斜に配列されて舟の舳状のように形成されるようになっている（図８参照）。
【００２０】
空間ｓの他端台板１１側には上記傾斜ピン５に対向するシリンダー２４が設けられ、該シリンダー２４の先端には傾斜ピン５とほぼ同一角度の傾斜ストッパ７が設けられ上記結束線１の中央部１’の移行を止めるようになっている。止める位置はシリンダー２４によって調整され、結束線１の両側部１ａ、１ａの長さに対応するようになっている。
【００２１】
傾斜ストッパ７は図１、４に示すように円弧形溝によって上記結束線１のＵ字形中央屈曲部を受けるようになっている。又上記ストッパ７には上記結束線１の中央屈曲部１”の受腕２５、２５を傾斜ピン挿入間隙ｔを介して１対設けるものである。
【００２２】
傾斜ストッパ７と上記截頭円錐形ローラ４、４との中間で上記ストッパ７寄りには、空間ｓの両側にシリンダー１８’、１８’による圧搾具１８、１８を設け、両側部１ａ、１ａを対向方向に圧搾して中央部１’をループ状に屈曲形成し、それによって両側部１ａ、１ａを１つに集束する。
【００２３】
その状態において図８に示すように上記ローラ４、４寄りに設けた結束機１７によって１つに集束された部分をかしめ線によって結束６し、傾斜ピン５を中央ループ状屈曲部から摺動分離し製品として空間ｓから下降させて取卸すものである。
【００２４】
傾斜ピン５の往復動方向は上述のように水平方向であるが、垂直方向に設計し傾斜ピン５を上下方向に往復させ、かつ上記截頭円錐形ローラ４、４の遊動軸３”を水平方向に軸支するよう設計変更して実施することができる。
【００２５】
尚図中２６で示すものは搬出コンベヤ８の終端と受具２、２との間に設けた鉄筋結束線下降案内シュート、２０’は傾斜シリンダー２１の支持板、１０’は鉄筋結束線１の両端揃え用往復板１０の動作用シリンダー、図８中２８は傾斜ストッパ７の上部に設けた中央屈曲部上部押え用金具、２９はその動作用シリンダーである。
【００２６】
【発明の効果】
本発明は上述のように傾斜ピンを１対の先端にフランジを有する截頭円錐形ローラ間を通過させることによって複数条の計量鉄筋結束線の中央部を押圧して該結束線を屈曲するものであるから該結束線は上記ローラ間の先端の広い間隔が基部の狭い間隔よりも抵抗なく傾斜ピンによって先に通過し易く又先に屈曲し易いため中央屈曲部が舟の舳のように傾斜して傾斜ストッパで止り、その状態で両側部を１つに結束し得て舟形の複数計量鉄筋結束線を容易に製造し得る効果がある。
【図面の簡単な説明】
【図１】本発明の鉄筋結束線集束成形装置の１部を示す平面図である。
【図２】図１Ａ−Ａ線による対向集束板の正面図である。
【図３】図１Ｂ−Ｂ線による圧搾具の正面図である。
【図４】図１の全体図である。
【図５】図１の側面図である。
【図６】計量状態の側面図である。
【図７】計量鉄筋結束線の両端支持状態の側面図である。
【図８】傾斜ピンの動作状態の側面図である。
【符号の説明】
１    複数条の鉄筋結束線
１’  中央部
１”  屈曲部
１ａ  両側部
１ｂ  圧搾部
２    受具（計量用受具）
３、３’  フランジ
４    截頭円錐形ローラ
４’  円錐面
５    往復傾斜ピン
６    結束部
７    傾斜ストッパ
８    鉄筋結束線搬出コンベヤ
９    計量天秤
【図１】
0003874886.tif 000002
【図２】
0003874886.tif 000003
【図３】
0003874886.tif 000004
【図４】
0003874886.tif 000005
【図５】
0003874886.tif 000006
【図６】
0003874886.tif 000007
【図７】
0003874886.tif 000008
【図８】
0003874886.tif 000009